(57)【要約】【課題】薬液の劣化を防止して所望の洗浄効果を得る。【解決手段】薬液Ａを貯留する薬液収容部２と、該薬液収容部２に貯留されている薬液Ａを噴射する噴射口３ａを有するプローブ３と、該プローブ３に、薬液収容部２に貯留されている薬液Ａを供給する薬液供給部４とを備え、薬液収容部２が、貯留している薬液Ａへの放射線の入射を阻止する遮蔽構造を有するとともに、薬液Ａを保存に適した温度に調節する保存温度調節部６を備える口腔洗浄装置１を提供する。【選択図】図１
2012055520.tif 000002
【特許請求の範囲】
【請求項１】
薬液を貯留する薬液収容部と、
該薬液収容部に貯留されている薬液を噴射する噴射口を有するプローブと、
該プローブに、前記薬液収容部に貯留されている薬液を供給する薬液供給部とを備え、
前記薬液収容部が、貯留している薬液への放射線の入射を阻止する遮蔽構造を有するとともに、薬液を保存に適した温度に調節する保存温度調節部を備える口腔洗浄装置。
【請求項２】
前記薬液収容部から前記プローブの前記噴射口までの間に、噴射される薬液を使用に適した温度に温度調節する使用温度調節部を備える請求項１に記載の口腔洗浄装置。
【請求項３】
前記使用温度調節部が、プローブの先端近傍に配置され、薬液の温度を検出するセンサと、前記プローブに設けられた温度調節手段と、前記センサにより検出された薬液の温度に基づいて、前記温度調節手段を制御する制御部とを備える請求項２に記載の口腔洗浄装置。
【請求項４】
前記プローブに、該プローブを超音波振動させる超音波発振部を備える請求項１から請求項３のいずれかに記載の口腔洗浄装置。
【請求項５】
前記薬液が、オゾンナノバブル水である請求項１から請求項４のいずれかに記載の口腔洗浄装置。
【請求項６】
前記薬液がオゾンナノバブル水であり、前記使用温度調節部が薬液をヒトの体温近傍まで加温する請求項２から請求項４のいずれかに記載の口腔洗浄装置。
【発明の詳細な説明】
【技術分野】
【０００１】
本発明は、口腔洗浄装置に関するものである。
【背景技術】
【０００２】
従来、口腔洗浄装置として、洗浄液や抗菌剤、抗炎症剤等を含む薬液を歯間部や歯周ポケット等に噴射して、口腔内の洗浄あるいはマッサージを行うものが知られている（例えば、特許文献１参照。）。
【先行技術文献】
【特許文献】
【０００３】
【特許文献１】特開２００７−１６７０８８号公報
【発明の概要】
【発明が解決しようとする課題】
【０００４】
しかしながら、従来の口腔洗浄装置では、口腔内に供給する薬液が供給前に劣化する可能性があり、所望の洗浄効果を得ることができない場合があるという不都合がある。
本発明は上述した事情に鑑みてなされたものであって、薬液の劣化を防止して所望の洗浄効果を得ることができる口腔洗浄装置を提供することを目的としている。
【課題を解決するための手段】
【０００５】
上記目的を達成するために、本発明は以下の手段を提供する。
本発明は、薬液を貯留する薬液収容部と、該薬液収容部に貯留されている薬液を噴射する噴射口を有するプローブと、該プローブに、前記薬液収容部に貯留されている薬液を供給する薬液供給部とを備え、前記薬液収容部が、貯留している薬液への放射線の入射を阻止する遮蔽構造を有するとともに、薬液を保存に適した温度に調節する保存温度調節部を備える口腔洗浄装置を提供する。
【０００６】
本発明によれば、遮蔽構造を有する薬液収容部に貯留された薬液は、保存中に放射線の入射が阻止される。また、保存温度調節部の作動により、薬液収容部に貯留された薬液が保存に適した温度に調節される。これにより、薬液収容部内での保存中における薬液の劣化が防止され、プローブの噴射口から噴射された薬液は、所望の洗浄効果を達成することができる。
【０００７】
上記発明においては、前記薬液収容部から前記プローブの前記噴射口までの間に、噴射される薬液を使用に適した温度に温度調節する使用温度調節部を備えていてもよい。
このようにすることで、薬液収容部内に保存に適した温度で保存されていた薬液は、噴射口から噴射される前に、使用温度調節部により使用に適した温度に調節される。その結果、プローブの噴射口から噴射された薬液は、効率よく洗浄を行うことができる。
【０００８】
また、上記発明においては、前記使用温度調節部が、プローブの先端近傍に配置され、薬液の温度を検出するセンサと、前記プローブに設けられた温度調節手段と、前記センサにより検出された薬液の温度に基づいて、前記温度調節手段を制御する制御部とを備えていてもよい。
このようにすることで、センサによりプローブの先端近傍における噴射直前の薬液の温度が検出され、その温度が使用に適した温度となるように制御部が温度調節手段を制御することができ、より効率よく洗浄を行うことができる。
【０００９】
また、上記発明においては、前記プローブに、該プローブを超音波振動させる超音波発振部を備えていてもよい。
このようにすることで、超音波発振部によりプローブを超音波振動させることで、超音波スケーラとして歯に付着した歯石を取りながら、プローブの噴射口から噴射された薬液との相乗効果により、洗浄効果をさらに向上することができる。
【００１０】
また、上記発明においては、前記薬液が、オゾンナノバブル水であってもよい。
このようにすることで、オゾンナノバブル水の殺菌効果によって、被洗浄物をさらに清浄な状態にすることができる。特に、超音波振動と組み合わせると、プローブの噴射口から噴射された薬液を介して超音波振動を被洗浄物に伝達することができ、オゾンナノバルブ水中に含まれるオゾンナノバブルの超音波による圧壊を生じさせ、そのエネルギによって洗浄殺菌効果を向上することができる。
【００１１】
また、上記発明においては、前記薬液がオゾンナノバブル水であり、前記使用温度調節部が薬液をヒトの体温近傍まで加温してもよい。
このようにすることで、オゾンナノバブル水の洗浄殺菌効果を最も効率よく発揮させることができ、効果的に洗浄することができる。
【発明の効果】
【００１２】
本発明によれば、薬液の劣化を防止して所望の洗浄効果を得ることができるという効果を奏する。
【図面の簡単な説明】
【００１３】
【図１】本発明の一実施形態に係る口腔洗浄装置を示す全体構成図である。
【図２】図１の口腔洗浄装置の変形例を示す全体構成図である。
【発明を実施するための形態】
【００１４】
本発明の一実施形態に係る口腔洗浄装置１について、図面を参照して以下に説明する。
本実施形態に係る口腔洗浄装置１は、図１に示されるように、薬液Ａを貯留する薬液収容部２と、該薬液収容部２に貯留されている薬液Ａを噴射するノズル部３ａを有するプローブ３と、薬液収容部２に貯留されている薬液Ａをプローブ３に供給する薬液供給部４とを備えている。
【００１５】
薬液収容部２は、薬液Ａを貯留するタンクであって、柔軟なチューブ５によってプローブ３に接続されており、貯留している薬液Ａへの放射線（例えば、紫外線）の入射を阻止する遮蔽構造を有している。また、薬液収容部２は、薬液Ａを保存に適した温度に調節する保存温度調節部６を備えている。
【００１６】
また、薬液収容部２の出口には、該薬液収容部２から放出される薬液Ａを使用に適した温度に調節する使用温度調節部７が設けられている。薬液Ａとしては、例えば、オゾンナノバブル水（以下、オゾンナノバブル水Ａとも言う。）を使用する。
【００１７】
すなわち、薬液収容部２は、保存時にオゾンナノバブル水Ａを劣化させる紫外線を遮断する材質により構成され、内部に収容しているオゾンナノバブル水Ａに紫外線が照射されないように遮断している。
また、保存温度調節部６は、収容しているオゾンナノバブル水Ａの温度を検出する温度センサ６ａと、該温度センサ６ａにより検出されたオゾンナノバブル水Ａの温度を保存に適した温度、例えば、１〜５℃に冷却する冷却部６ｂとを備えている。冷却部６ｂは例えばペルチェ素子である。
【００１８】
また、使用温度調節部７は、薬液収容部２から放出されたオゾンナノバブル水Ａを一旦貯留する一時貯留部７ａと、該一時貯留部７ａ内のオゾンナノバブル水Ａの温度を検出する温度センサ７ｂと、該温度センサ７ｂにより検出されたオゾンナノバブル水Ａの温度を使用に適した温度、例えば、４０℃に加温するヒータ７ｃとを備えている。
【００１９】
プローブ３は、操作者により把持される把持部３ｂと、該把持部３ｂの先端に配置されたノズル部３ａとを備えている。プローブ３の先端に配置されているノズル部３ａは把持部３ｂ内に内蔵された超音波ドライバ８に接続され、超音波振動させられるようになっている。超音波ドライバ８はノズル部３ｂの先端を超音波振動させる。また、ノズル部３ｂ先端の噴射口から噴射されるオゾンナノバブル水Ａに対して超音波振動を照射し、オゾンナノバブル水Ａのナノバブルを口腔内において圧壊させるようになっている。
【００２０】
薬液供給部４は、薬液収容部２に貯留されているオゾンナノバブル水Ａを送るポンプ９と、薬液収容部２と一時貯留部７ａとの間、および一時貯留部７ａとポンプ９との間に設けられたバルブ１０，１１と、オゾンナノバブル水Ａの噴射指令を入力する操作入力部１２と、該操作入力部１２から入力された噴射指令および温度センサ７ｂにより検出された温度に基づいて、バルブ１０，１１を開閉するとともにヒータ７ｃおよびポンプ９を制御する制御部１３とを備えている。
【００２１】
このように構成された本実施形態に係る口腔洗浄装置１の作用について以下に説明する。
本実施形態に係る口腔洗浄装置１によれば、薬液収容部２に収容されている保存状態においては、オゾンナノバブル水Ａへの紫外線の照射が阻止されるとともに、保存温度調節部６の温度センサ６ａにより検出された温度に基づいて冷却部６ｂによって保存に適した温度に調節される。これにより、オゾンナノバブル水Ａの洗浄効果が保存中に低下してしまうことを防止することができる。したがって、洗浄効果を維持したオゾンナノバブル水Ａをプローブ３のノズル部３ａから噴射させることができる。
【００２２】
また、本実施形態に係る口腔洗浄装置１によれば、操作入力部１２から噴射指令が入力されると、制御部１３は、バルブ１０を開放して薬液収容部２において保存に適した温度に保持されていたオゾンナノバブル水Ａを使用温度調節部７の一時貯留部７ａに送る。そして、一時貯留部７ａ内に所定量のオゾンナノバブル水Ａが貯留された状態で、バルブ１０を閉止する。
【００２３】
次いで、制御部１３は、温度センサ７ｂにより一時貯留部７ａ内のオゾンナノバブル水Ａの温度を検出しながらヒータ７ｃを作動させ、オゾンナノバブル水Ａを使用に適した温度に加温する。そして、制御部１３は、温度センサ７ｂにより検出された一時貯留部７ａ内のオゾンナノバブル水Ａの温度が使用に適した温度に達した時点で、バルブ１１を開放し、ポンプ９を作動させることにより、一時貯留部７ａ内のオゾンナノバブル水Ａをプローブ３に供給する。
【００２４】
プローブ３に供給されたオゾンナノバブル水Ａは、プローブ３の先端のノズル部３ａから噴射され、口腔内を洗浄する。
この際に、超音波ドライバ８の作動によりノズル部３ａを超音波振動させる。また、ノズル部３ｂの先端が超音波振動させられることにより、噴射されたオゾンナノバブル水Ａのナノバブルを口腔内において圧壊させることができる。
【００２５】
本実施形態に係る口腔洗浄装置１によれば、プローブ３に供給されるオゾンナノバブル水Ａが、使用温度調節部７により使用に適した温度に加温されるので、洗浄効果を高めた状態でプローブ３のノズル部３ａから噴射させることができる。これにより、使用に必要な最小限のオゾンナノバブル水Ａのみを使用に適した温度に加温し、加温されたオゾンナノバブル水Ａによって口腔内を効果的に洗浄することができる。
【００２６】
さらに、本実施形態に係る口腔洗浄装置１によれば、超音波ドライバ８の作動によりプローブ３のノズル部３ａを超音波振動させることによって、超音波スケーラとして歯に付着した歯石を取るだけでなく、プローブ３のノズル部３ａから噴射されたオゾンナノバブル水Ａを介して超音波振動を被洗浄物に伝達することによりオゾンナノバブル水Ａのナノバブルが圧壊されるので、圧壊時に発生する局所的な温度変化や圧力変動によって、洗浄効果をさらに高めることができ、また、オゾンによる殺菌効果によって、さらに効果的に口腔内を洗浄することができる。
【００２７】
なお、本実施形態に係る口腔洗浄装置１によれば、薬液収容部２の出口に使用温度調節部７を配置したが、これに代えて、薬液収容部２の出口からプローブ３までのいずれかの位置に使用温度調節部７を設けることにしてもよい。
例えば、図２に示されるように、プローブ３の把持部３ａ内に、温度センサ７ｂ、ヒータ７ｃおよび温度制御部１４を内蔵させてもよい。図中符号Ｐ’は符号Ｐ部の概略的な拡大断面図である。
【００２８】
この場合には、操作入力部１２から入力された噴射指令に従って制御部１３がバルブ１１を開放するとともにポンプ９を作動させることにより、薬液収容部２内のオゾンナノバブル水Ａをプローブ３に送る。そして、プローブ３内においては、送られてきたオゾンナノバブル水Ａは先端のノズル部３ａに送られる途中で、ヒータ７ｃにより加温され、その温度が温度センサ７ｂによって検出され、温度制御部１４によりフィードバック制御される。これにより、ノズル部３ａから噴射されるオゾンナノバブル水Ａは使用に適した温度まで加温される。
【００２９】
このように、ノズル部３ａに可能な限り近い位置においてオゾンナノバブル水Ａを加温することにより、使用の直前まで、保存に適した温度に保たれるので、洗浄効果を劣化させることがなく、効果的である。
これに代えて、ヒータ７ｂをノズル部３ａ自体に設けることにしてもよい。
【００３０】
また、本実施形態においては薬液供給部４とプローブ３とを柔軟なチューブ５によって接続することとしたが、これに代えて、プローブ３の端部にオゾンナノバブル水Ａを貯留するポンプ９および保存温度調節部６を設けることにしてもよい。
また、薬液Ａとしてオゾンナノバブル水を例示したが、これに限定されるものではなく、他の任意の薬液Ａを採用することにしてもよい。
【００３１】
任意の薬液Ａとしては、例えば、オゾン水、次亜塩素酸水、酸性水、電解水、ポピドンヨード、クロルヘキシジン、塩化セチルピリジニウム、塩化ベンザルコニウム、塩化ベンゼトニウム、ラウリルジアミノエチル、グリシンナトリウム、チモール、イソプロピルメチルフェノール、トリクロサン、エタノール、アクリノール、過酸化水素水等を挙げることができる。
【符号の説明】
【００３２】
Ａ  オゾンナノバブル水（薬液）
１  口腔洗浄装置
２  薬液収容部
３  プローブ
３ａ  ノズル部（噴射口）
４  薬液供給部
６  保存温度調節部
７  使用温度調節部
７ｂ  温度センサ（センサ）
７ｃ  ヒータ（温度調節手段）
８  超音波ドライバ（超音波発振部）
１４  温度制御部（制御部）
【図１】
2012055520.tif 000003
【図２】
2012055520.tif 000004